(57)【要約】【課題】容易且つ高精度に合成透過率を目標透過率に近づけることができる技術を提供する。【解決手段】本発明の制御装置は、発光部、第１パネル、及び、第２パネルを備える表示装置を制御する制御装置であって、画像データの階調値、第１パネルの透過率を制御するための第１制御値、及び、第２パネルの透過率を制御するための第２制御値の対応関係を示す制御情報を記憶する記憶手段と、制御情報に基づいて、入力された画像データから、第１パネルの透過率を制御するための第１制御データと、第２パネルの透過率を制御するための第２制御データと、を生成する生成手段と、制御情報を補正する補正手段と、を備え、補正手段は、第１制御値と第１パネルの透過率との対応関係、及び、第２制御値と第２パネルの透過率との対応関係に関する特性情報を取得し、特性情報に基づいて制御情報を補正する。【選択図】図１
2019086639.tif 000002
【特許請求の範囲】
【請求項１】
発光部と、前記発光部から発せられた光を透過する第１パネルと、前記第１パネルを透過した光を透過して画面に画像を表示する第２パネルと、を備える表示装置を制御する制御装置であって、
画像データの階調値、前記第１パネルの透過率を制御するための第１制御値、及び、前記第２パネルの透過率を制御するための第２制御値の対応関係を示す制御情報を記憶する記憶手段と、
前記制御情報に基づいて、入力された画像データから、前記第１パネルの透過率を制御するための第１制御データと、前記第２パネルの透過率を制御するための第２制御データと、を生成する生成手段と、
前記制御情報を補正する補正手段と、
を備え、
前記補正手段は、
前記第１制御値と前記第１パネルの透過率との対応関係、及び、前記第２制御値と前記第２パネルの透過率との対応関係に関する特性情報を取得し、
前記特性情報に基づいて前記制御情報を補正する
ことを特徴とする制御装置。
【請求項２】
前記制御情報は、前記画像データの階調値と、目標透過率と、の対応関係を示す情報を含み、
前記補正手段は、前記制御情報において前記画像データの複数の階調値のうちの対象階調値に対応する第１制御値に前記特性情報において関連付けられた前記第１パネルの透過率と、前記制御情報において前記対象階調値に対応する第２制御値に前記特性情報において関連付けられた前記第２パネルの透過率と、を合成した合成透過率が、前記制御情報の補正によって、前記対象階調値に対応する目標透過率に近づくように、前記制御情報において前記対象階調値に対応する前記第１制御値と前記第２制御値との少なくとも一方を補正する
ことを特徴とする請求項１に記載の制御装置。
【請求項３】
前記補正手段は、
前記画像データの各階調値について、前記合成透過率と前記目標透過率との差を判断し、
判断した差が第１閾値以上である階調値について、前記制御情報の前記第１制御値と前記第２制御値の少なくとも一方を補正する
ことを特徴とする請求項２に記載の制御装置。
【請求項４】
前記補正手段は、前記対象階調値に対応する前記第１制御値と前記第２制御値との組み合わせを、補正前の前記制御情報において他の階調値に対応していない前記第１制御値と前記第２制御値との組み合わせに補正する
ことを特徴とする請求項２または請求項３に記載の制御装置。
【請求項５】
前記生成手段は、前記第１パネルの透過率を所定の第１制御値で制御するための第１固定制御データを前記第１パネルに出力し、前記第２パネルの透過率を複数の第２制御値で制御するための複数の第２検出制御データを前記第２パネルに出力し、
前記補正手段は、各第２検出制御データに対応する表示輝度を取得して、前記第１パネルを前記所定の第１制御値で制御し、かつ、前記第２パネルを各第２制御値で制御した場合の表示輝度を示す第１の情報を取得し、
前記生成手段は、前記第２パネルの透過率を所定の第２制御値で制御するための第２固定制御データを前記第２パネルに出力し、前記第１パネルの透過率を複数の第１制御値で
制御するための複数の第１検出制御データを前記第１パネルに出力し、
前記補正手段は、各第１検出制御データに対応する表示輝度を取得して、前記第２パネルを前記所定の第２制御値で制御し、かつ、前記第１パネルを各第１制御値で制御した場合の表示輝度を示す第２の情報を取得し、
前記補正手段は、前記第１の情報と前記第２の情報とに基づいて、前記特性情報を取得する
ことを特徴とする請求項１乃至請求項４のいずれか１項に記載の制御装置。
【請求項６】
前記補正手段は、前記特性情報に基づいて、前記第１検出制御データと前記第２検出制御データの複数の組み合わせにそれぞれ対応する複数の表示輝度を推定する
ことを特徴とする請求項５に記載の制御装置。
【請求項７】
前記補正手段は、
各第１検出制御データに対応する表示輝度に基づいて、各第１検出制御データに対応しない表示輝度を推定する処理と、
各第２検出制御データに対応する表示輝度に基づいて、各第２検出制御データに対応しない表示輝度を推定する処理と、
の少なくとも一方を行って、前記第１の情報と前記第２の情報とを取得する
ことを特徴とする請求項５または請求項６に記載の制御装置。
【請求項８】
前記生成手段は、前記表示輝度を測定するセンサの受光感度が第２閾値以上である表示輝度が実現されるように、前記所定の第１制御値と前記所定の第２制御値とを決定する
ことを特徴とする請求項５乃至請求項７のいずれか１項に記載の制御装置。
【請求項９】
前記第１固定制御データと前記複数の第２検出制御データとが使用される場合、及び、前記第２固定制御データと前記複数の第１検出制御データとが使用される場合において、前記表示輝度を測定するセンサの受光感度が第２閾値以上である表示輝度が実現されるように、前記発光部の発光輝度を制御する制御手段、をさらに備える
ことを特徴とする請求項５乃至請求項８のいずれか１項に記載の制御装置。
【請求項１０】
前記生成手段は、
前記第１制御データに応じた第１電圧を前記第１パネルに供給することにより、前記第１パネルの透過率を制御し、
前記第２制御データに応じた第２電圧を前記第２パネルに供給することにより、前記第２パネルの透過率を制御し、
前記特性情報に基づいて、前記第１電圧と前記第２電圧の少なくとも一方を調整することを特徴とする請求項１乃至請求項９のいずれか１項に記載の制御装置。
【請求項１１】
前記第１パネルと前記第２パネルの一方のパネルは、複数の色にそれぞれ対応する複数の表示素子を有し、
前記第１パネルと前記第２パネルの他方のパネルは、複数の色にそれぞれ対応する複数の表示素子を有さず、
前記補正手段は、前記制御情報における前記第１制御値と前記第２制御値のうち、前記他方のパネルの制御値を、前記一方のパネルの制御値よりも優先的に補正する
ことを特徴とする請求項１乃至請求項１０のいずれか１項に記載の制御装置。
【請求項１２】
前記第１パネルは、複数の色にそれぞれ対応する複数の第１表示素子を有し、
前記第２パネルは、前記複数の色にそれぞれ対応する複数の第２表示素子を有し、
前記補正手段は、前記複数の色のそれぞれについて、前記制御情報における前記第１制御値と前記第２制御値の少なくとも一方を補正する
ことを特徴とする請求項１乃至請求項１０のいずれか１項に記載の制御装置。
【請求項１３】
前記特性情報と補正後の制御情報とに基づいて前記発光部の発光輝度を制御する制御手段、をさらに備える
ことを特徴とする請求項１乃至請求項１２のいずれか１項に記載の制御装置。
【請求項１４】
発光部と、前記発光部から発せられた光を透過する第１パネルと、前記第１パネルを透過した光を透過して画面に画像を表示する第２パネルと、を備える表示装置を制御する制御方法であって、
画像データの階調値、前記第１パネルの透過率を制御するための第１制御値、及び、前記第２パネルの透過率を制御するための第２制御値の対応関係を示す制御情報に基づいて、入力された画像データから、前記第１パネルの透過率を制御するための第１制御データと、前記第２パネルの透過率を制御するための第２制御データと、を生成する生成ステップと、
前記制御情報を補正する補正ステップと、
を有し、
前記補正ステップでは、
前記第１制御値と前記第１パネルの透過率との対応関係、及び、前記第２制御値と前記第２パネルの透過率との対応関係に関する特性情報を取得し、
前記特性情報に基づいて前記制御情報を補正する
ことを特徴とする制御方法。
【請求項１５】
請求項１４に記載の制御方法の各ステップをコンピュータに実行させるためのプログラム。
【発明の詳細な説明】
【技術分野】
【０００１】
本発明は、制御装置および制御方法に関する。
【背景技術】
【０００２】
表示装置に対して、表示画像（画面に表示された画像）の忠実性向上が望まれている。具体的には、表示画像の明部から暗部への濃淡変化（階調）の正確性が望まれている。表示画像の階調数を増加させる技術として、重ね合った２枚の液晶パネル（第１液晶パネルと第２液晶パネル）のそれぞれを個別に駆動する技術がある。上記２枚の液晶パネルを備えた表示装置は「二重液晶表示装置」などと呼ばれる。二重液晶表示装置において、表示画像の階調数（輝度の階調数）は、各液晶パネルの階調数（透過率の階調数）によって決まる。例えば、第１液晶パネルの階調数と第２液晶パネルの階調数のそれぞれが１０２４（１０ｂｉｔ相当）である場合には、表示画像の階調数は最大で１０４８５７６（２０ｂｉｔ相当）にもなる。
【０００３】
液晶パネルでは、温度変化や使用により、特性や構造の変化が生じ、透過率が変化する。例えば、温度変化や使用により、液晶パネルに供給する電圧（駆動電圧）、駆動電圧と透過率の対応関係、等が変化し、透過率が変化する。また、温度変化や使用により、液晶層（セルギャップ）の厚みが変化し（構造の変化）、透過率が変化する。透過率が変化すると、表示画像の輝度なども変化する。
【０００４】
そこで、光センサで表示輝度（画面の輝度；表示画像の輝度）を測定し、表示輝度が目標輝度（表示輝度の目標）に近づくように駆動電圧を調整する技術が提案されている（特許文献１）。
【先行技術文献】
【特許文献】
【０００５】
【特許文献１】特開平７−２３００７８号公報
【発明の概要】
【発明が解決しようとする課題】
【０００６】
しかしながら、二重液晶表示装置の表示輝度は、第１液晶パネルの透過率と第２液晶パネルの透過率との組み合わせによって決まる。そして、輝度、ガンマ値、色温度、等の様々な調整パラメータにより、透過率の組み合わせを変更できる。そのため、透過率の組み合わせの数は多く、表示輝度を目標輝度に高精度に近づけるための組み合わせを測定で見つけ出すことは容易ではない。表示輝度は「第１液晶パネルの透過率と第２液晶パネルの透過率とを合成した合成透過率」とも言えるし、目標輝度は「目標透過率（合成透過率の目標）」とも言える。
【０００７】
本発明は、容易且つ高精度に合成透過率を目標透過率に近づけることができる技術を提供することを目的とする。
【課題を解決するための手段】
【０００８】
本発明の第１の態様は、
発光部と、前記発光部から発せられた光を透過する第１パネルと、前記第１パネルを透過した光を透過して画面に画像を表示する第２パネルと、を備える表示装置を制御する制御装置であって、
画像データの階調値、前記第１パネルの透過率を制御するための第１制御値、及び、前
記第２パネルの透過率を制御するための第２制御値の対応関係を示す制御情報を記憶する記憶手段と、
前記制御情報に基づいて、入力された画像データから、前記第１パネルの透過率を制御するための第１制御データと、前記第２パネルの透過率を制御するための第２制御データと、を生成する生成手段と、
前記制御情報を補正する補正手段と、
を備え、
前記補正手段は、
前記第１制御値と前記第１パネルの透過率との対応関係、及び、前記第２制御値と前記第２パネルの透過率との対応関係に関する特性情報を取得し、
前記特性情報に基づいて前記制御情報を補正する
ことを特徴とする制御装置である。
【０００９】
本発明の第２の態様は、
発光部と、前記発光部から発せられた光を透過する第１パネルと、前記第１パネルを透過した光を透過して画面に画像を表示する第２パネルと、を備える表示装置を制御する制御方法であって、
画像データの階調値、前記第１パネルの透過率を制御するための第１制御値、及び、前記第２パネルの透過率を制御するための第２制御値の対応関係を示す制御情報に基づいて、入力された画像データから、前記第１パネルの透過率を制御するための第１制御データと、前記第２パネルの透過率を制御するための第２制御データと、を生成する生成ステップと、
前記制御情報を補正する補正ステップと、
を有し、
前記補正ステップでは、
前記第１制御値と前記第１パネルの透過率との対応関係、及び、前記第２制御値と前記第２パネルの透過率との対応関係に関する特性情報を取得し、
前記特性情報に基づいて前記制御情報を補正する
ことを特徴とする制御方法である。
【００１０】
本発明の第３の態様は、上述した制御方法の各ステップをコンピュータに実行させるためのプログラムである。
【発明の効果】
【００１１】
本発明によれば、容易且つ高精度に合成透過率を目標透過率に近づけることができる。
【図面の簡単な説明】
【００１２】
【図１】実施例１に係る表示制御システムを示すシステム構成図である。
【図２】実施例１に係る表示制御システムの構成例を示すブロック図である。
【図３】実施例１に係る初期の特性情報の一例を示す模式図である。
【図４】実施例１に係る初期の制御情報の一例を示す模式図である。
【図５】実施例１に係る最新の特性情報の一例を示す模式図である。
【図６】実施例１に係る更新後の合成透過率などの一例を示す模式図である。
【図７】実施例１に係る複数の合成透過率の一例を示す模式図である。
【図８】実施例１に係る補正後の情報の一例を示す模式図である。
【図９】実施例１に係る初期の電圧情報の一例を示す模式図である。
【図１０】実施例１に係る最新の電圧情報の一例を示す模式図である。
【図１１】実施例２に係る初期の特性情報などの一例を示す模式図である。
【図１２】実施例２に係る処理フローの一例を示すフローチャートである。
【図１３】実施例２に係る最新の特性情報などの一例を示す模式図である。
【図１４】実施例２に係る合成透過率などの推定結果の一例を示す模式図である。
【図１５】実施例２に係る最新の表示輝度などの一例を示す模式図である。
【図１６】実施例２に係る推定表示輝度などの一例を示す模式図である。
【発明を実施するための形態】
【００１３】
＜実施例１＞
以下、本発明の実施例１について説明する。以下では、本実施例に係る制御装置が表示装置とは別体の装置である例を説明する。制御装置は、表示装置を制御する装置であり、例えばＰＣ（パーソナルコンピュータ）などである。なお、制御装置は表示装置に内蔵されていてもよい。
【００１４】
図１は、本実施例に係る表示制御システムを示すシステム構成図である。本実施例に係る表示制御システムは、制御装置１００、モニタ１０、および、センサ２００を有する。モニタ１０は、制御装置１００と接続し、制御装置１００から出力された制御データに基づいて、画像を表示する表示装置である。センサ２００は、モニタ１０の検出領域に表示された画像の輝度（表示輝度）を測定する光センサである。センサ２００は、例えば、半導体の光電効果などを利用して光の輝度（強度）を電圧に変換し、電圧値を当該輝度の測定値として制御装置１００に出力する。センサ２００として、例えば、フォトダイオード、フォトトランジスタ、フォトレジスタ、等の光変換部材を使用できる。
【００１５】
なお、表示輝度の変化が検出できれば、センサ２００の構成は特に限定されない。また、センサ２００が検出領域の輝度を検出するタイミング、および、検出値（測定値）に対するゲイン設定等の検出パラメータを制御装置１００が制御してもよい。
【００１６】
図２は、本実施例に係る表示制御システムの構成例を示すブロック図である。モニタ１０は、バックライトユニット１１、背面パネル１２、および、前面パネル１３を備える。また、制御装置１００は、入力部１０１、画像処理部１０２、生成部１０３、記憶部１０４、補正部１０５、バックライト制御部１０６、制御部１１０、および、メモリ１１１を備える。
【００１７】
バックライトユニット１１は、背面パネル１２の背面に光を照射する発光装置である。以後、バックライトユニット１１から画面（ユーザが見る面）に向かう方向を前方向として説明を行う。バックライトユニット１１の光源（発光素子）として、例えば、発光ダイオード（ＬＥＤ：Ｌｉｇｈｔ  Ｅｍｉｔｔｉｎｇ  Ｄｉｏｄｅ）を使用できる。バックライトユニット１１の光源として、冷陰極管（ＣＣＦＬ：Ｃｏｌｄ  Ｃａｔｈｏｄｅ  Ｆｌｕｏｒｅｓｃｅｎｔ  ｌａｍｐ）、エレクトロルミネッセンス（ＥＬ：Ｅｌｅｃｔｒｏ  Ｌｕｍｉｎｅｓｃｅｎｃｅ）素子、等も使用できる。バックライトユニット１１として、例えば、直下型、エッジライト型、平面光源型、等の様々なタイプの発光部を使用できる。バックライトユニット１１が背面パネル１２の背面に光を照射すれば、バックライトユニット１１の構成は特に限定されない。
【００１８】
背面パネル１２は、バックライトユニット１１に対して前側に設けられた液晶パネルである。背面パネル１２は、バックライトユニット１１から発せられた光を、制御装置１００から入力された背面制御データに基づく透過率で透過する。前面パネル１３は、背面パネル１２に対して前側に設けられた液晶パネルである。前面パネル１３は、バックライトユニット１１から発せられて背面パネル１２を透過した光を、制御装置１００から入力された前面制御データに基づく透過率で透過する。
【００１９】
上述のようにして、２枚のパネルを透過した光によって、前面パネル１３の画面に画像が表示される。画面に表示された画像の輝度（表示輝度）は、バックライトユニット１１
から照射された光の輝度（発光輝度）と、背面パネル１２の透過率と、前面パネル１３の透過率と、で決まる。背面パネル１２の透過率と、前面パネル１３の透過率と、を合成した透過率を、合成透過率とする。具体的には、合成透過率は、背面パネル１２の透過率に前面パネル１３の透過率を乗算して得られる値である。モニタ１０は、バックライトユニット１１から照射された光を、合成透過率で透過することによって画像を表示するともいえる。
【００２０】
なお、背面パネル１２や前面パネル１３は、液晶パネルの代わりに、光を透過する他の透過パネルであってもよい。例えば、背面パネル１２と前面パネル１３の少なくとも一方は、ＭＥＭＳ（Ｍｉｃｒｏ  Ｅｌｅｃｔｒｏ  Ｍｅｃｈａｎｉｃａｌ  Ｓｙｓｔｅｍ）シャッター方式の表示パネルであってもよい。透過パネル（背面パネル１２や前面パネル１３）として、例えば、アクティブマトリクス方式、ＩＰＳ（Ｉｎ−Ｐｌａｎｅ  Ｓｗｉｔｃｈｉｎｇ）方式、等の様々な方式の透過パネルを使用できる。透過パネルの透過率が変更可能であれば、透過パネルの構成は特に限定されない。
【００２１】
制御装置１００について説明する。入力部１０１は、画像データが入力される入力部である。入力部１０１には、制御装置１００に接続された外部装置から取得した画像データが入力されるとする。また、入力部１０１には、制御部１１０の指示に応じて、不図示の記憶媒体から読み出した画像データが入力されてもよい。入力部１０１は、入力された画像データを画像処理部１０２へ出力する。
【００２２】
画像処理部１０２は、取得した画像データに画像処理を施す画像処理プロセッサである。画像処理部１０２は、画像データに対して、ガンマ処理、色変換処理、輝度変換処理、等の種々の画像処理を実行することが可能である。画像処理部１０２は、画像処理が施された画像データを生成部１０３に出力する。
【００２３】
生成部１０３は、取得した画像データと記憶部１０４から読み出した制御情報とから、背面パネル１２の透過率を制御するための背面制御データと、前面パネル１３の透過率を制御するための前面制御データと、を生成する。生成部１０３は、画像データの各画素の階調値に対応する表示輝度で画像が表示されるように、画像データを各制御データに分配するともいえる。生成部１０３が各制御データを生成する方法については、後述する。なお、モニタ１０の各パネルは、制御装置１００から取得した各制御データを用いて、各パネルの透過率を制御する。したがって、生成部１０３は、各制御データを各パネルに出力することにより、各パネルの透過率を制御するともいえる。
【００２４】
記憶部１０４は、生成部１０３および補正部１０５が用いる制御情報、および、補正部１０５が用いる特性情報を記憶する記憶媒体である。制御情報は、画像データの階調値、背面パネル１２の透過率を制御するための背面制御値、前面パネル１３の透過率を制御するための前面制御値、及び、目標透過率（合成透過率の目標）の対応関係に関する情報である。そして、特性情報は、背面制御値と背面パネル１２の透過率との対応関係、及び、前面制御値と前面パネル１３の透過率との対応関係に関する情報である。記憶部１０４として、例えば、半導体メモリ、磁気ディスク、光ディスク、等を使用できる。記憶部１０４は、制御装置１００に内蔵されていてもよいし、制御装置１００に対して着脱可能であってもよい。
【００２５】
補正部１０５は、特性情報を取得する取得部を備える。例えば、補正部１０５（取得部）は、制御装置１００の外部から特性情報を取得したり、センサ２００が取得した表示輝度を示す情報に基づいて特性情報を生成したりする。補正部１０５は、取得した特性情報を、記憶部１０４に記憶させる。
【００２６】
補正部１０５は、記憶部１０４から読み出した制御情報を、取得した特性情報に基づいて、補正する。補正部１０５は、補正した制御情報で、記憶部１０４が記憶している制御情報を更新する。本実施例では、補正部１０５は、制御情報および特性情報に応じた合成透過率と目標透過率との差に比べ目標透過率との差が小さい合成透過率が実現されるように、制御情報の背面制御値と前面制御値の少なくとも一方を補正する。すなわち、補正部１０５は、制御情報において対象階調値に対応する背面制御値に特性情報において関連付けられた背面パネル１２の透過率と、制御情報において対象階調値に対応する前面制御値に特性情報において関連付けられた前面パネル１３の透過率と、を合成した合成透過率が、制御情報の補正によって、制御情報において対象階調値に対応する目標透過率に近づくように、制御情報において対象階調値に対応する背面制御値と前面制御値との少なくとも一方を補正する。対象階調値は、画像データの複数の階調値のいずれかである。補正部１０５の補正処理の詳細は後述する。
【００２７】
バックライト制御部１０６は、制御部１１０の指示に応じて、バックライトユニット１１の発光を制御する制御回路である。バックライト制御部１０６は、バックライトユニット１１の発光のＯＮ／ＯＦＦを制御する。
【００２８】
制御部１１０は、制御装置１００の各機能ブロックの処理を制御するプロセッサ（ＣＰＵ：Ｃｅｎｔｒａｌ  Ｐｒｏｃｅｓｓｉｎｇ  Ｕｎｉｔ）である。例えば、制御部１１０は、プログラムをメモリ１１１から読み出して実行することにより、各種制御、各種データ解析、等を行う。制御部１１０は、不図示の操作部を介して入力されたユーザ指示に応じて、制御情報の補正処理を実行するように補正部１０５を制御する。
【００２９】
メモリ１１１は、制御部１１０が制御処理を実行するために用いる各種データ（プログラム、情報、パラメータ、等）を記憶する記憶媒体である。
【００３０】
以下で、特性情報および制御情報について説明する。図３は、記憶部１０４に記録される初期の特性情報（テーブル）の一例を示す模式図である。初期の特性情報は、例えば、工場出荷時に生成される。特性情報の生成方法は特に限定されない。図３の特性情報は、背面制御値と背面パネル１２の透過率との対応関係、及び、前面制御値と前面パネル１３の透過率との対応関係を示す情報である。本実施例では、制御値（背面制御値や前面制御値）として０〜４の５つの値が使用されるとする。
【００３１】
図３の特性情報では、背面制御値０に対応する背面パネル１２の透過率は０．１％であり、背面制御値１に対応する背面パネル１２の透過率は６．３％であり、背面制御値２に対応する背面パネル１２の透過率は２５％である。そして、背面制御値３に対応する背面パネル１２の透過率は５６．３％であり、背面制御値４に対応する背面パネル１２の透過率は１００％である。同様に、前面制御値０，１，２，３，４に前面パネル１３の透過率０．１，２５，５０，７０％がそれぞれ対応する。
【００３２】
なお、特性情報は複数の情報に分割されていてもよい。例えば、特性情報として、背面制御値と背面パネル１２の透過率との対応関係を示す情報、及び、前面制御値と前面パネル１３の透過率との対応関係を示す情報が使用されてもよい。また、取り得る制御値の数は、５つより多くても少なくてもよい。取り得る背面制御値の数は、取り得る前面制御値の数より多くても少なくてもよい。
【００３３】
図４は、記憶部１０４に記録される初期の制御情報（テーブル）の一例を示す模式図である。初期の制御情報は、例えば、工場出荷時に生成される。制御情報の生成方法は特に限定されない。例えば、制御情報は、階調値と表示輝度（目標透過率に対応する表示輝度）との対応関係がガンマ値２の対応関係と同等になるように生成される。表示輝度は、画
面の輝度、画面から発せられた光の輝度、画面に表示された画像の輝度、等とも言える。図４の制御情報は、階調値、背面制御値、前面制御値、及び、目標透過率の対応関係を示す。本実施例では、階調値として０〜２０の２１個の値が使用されるとする。
【００３４】
図４の制御情報では、階調値０に、背面制御値０、前面制御値０、及び、目標透過率０．０００１％が対応付けられており、階調値１に、背面制御値１、前面制御値１、及び、目標透過率０．２５％が対応付けられいる。同様に、階調値２〜２０のそれぞれにも、背面制御値、前面制御値、及び、目標透過率が対応付けられいる。生成部１０３は、表示対象の階調値に対応する背面制御値と前面制御値を制御情報から判断し、判断した背面制御値と前面制御値で背面パネル１２の透過率と前面パネル１３の透過率とが制御されるように、背面制御データと前面制御データを生成する。例えば、表示対象の階調値が１である場合に、制御情報から背面制御値１と前面制御値１が得られる。そして、背面制御値１で背面パネル１２の透過率が制御され、前面制御値１で前面パネル１３の透過率が制御される。背面制御値と背面パネル１２の透過率との対応関係、及び、前面制御値と前面パネル１３の透過率との対応関係が図３の対応関係である場合を考える。その場合には、背面パネル１２の透過率と、前面パネル１３の透過率とのそれぞれが０．１％に制御され、目標透過率と等しい合成透過率０．０００１％（＝０．１％×０．１％÷１００）が実現される。
【００３５】
なお、制御情報は複数の情報に分割されていてもよい。例えば、制御情報として、階調値、背面制御値、及び、前面制御値の対応関係を示す情報と、階調値および目標透過率の対応関係を示す情報とが使用されてもよい。また、取り得る階調値の数は、２１個より多くても少なくてもよい。
【００３６】
次に、生成部１０３が実行する制御データの生成処理について説明する。生成部１０３は、記憶部１０４から制御情報を読み出す。生成部１０３は、入力された画像データの各画素について、制御情報から、画素の階調値に対応する背面制御値を取得する。これにより、背面制御データが生成される。同様に、生成部１０３は、入力された画像データの各画素について、制御情報から、画素の階調値に対応する前面制御値を取得する。これにより、前面制御データが生成される。
【００３７】
次に、補正部１０５が実行する制御情報の補正処理について説明する。補正部１０５は、制御部１１０から補正処理の実行指示を受けると、初めに特性情報を取得する。補正部１０５が取得する特性情報は、製造時にあらかじめ記憶された特性情報（図３）でなく、補正処理の実行タイミングに近いタイミングで生成、測定、または、入力された特性情報である。特性情報の取得方法は限定されない。図５は、補正部１０５が取得した特性情報（テーブル）の一例を示す模式図である。特性情報の生成方法は特に限定されない。合成透過率は、式「背面パネル１２の透過率×前面パネル１３の透過率÷１００」で算出できるため、特性情報から容易に算出できる。また、図５の特性情報と図３の特性情報とを比較することにより、背面パネル１２の透過率の変化、前面パネル１３の透過率の変化、合成透過率の変化、等を検出できる。
【００３８】
取得された特性情報は、制御値（０，１，２，３，４）に対して、背面パネル１２の透過率（０．２，６．５，２５，５６．０％）がそれぞれ対応することを示す。同様に、制御値（０，１，２，３，４）に前面パネル１３の透過率（０．２，３０，５２，７０％）がそれぞれ対応することを示す。
【００３９】
図３に示した初期の特性情報と、図５に示した特性情報を比較すると、制御値０に対応する背面パネル１２の透過率が０．１％から０．２％へ変化しており、また、制御値１に対応する背面パネル１２の透過率が６．３％から６．５％へ変化している。同様に、制御
値０に対応する前面パネル１３の透過率が０．１％から０．２％へ変化しており、制御値１に対応する前面パネル１３の透過率が２５％から３０％へ変化している。そして、制御値２に対応する前面パネル１３の透過率が５０％から５２％へ変化している。このように、制御値に対する各パネルの透過率が変化すると、あらかじめ設定された制御情報に基づいて生成部１０３が制御データを生成した場合に、背面パネル１２と前面パネル１３との合成透過率の目標透過率に対する差が大きくなってしまう。
【００４０】
図６は、図４の制御情報を含む情報（テーブル）の一例を示す模式図である。図６のテーブルは、図４の制御情報と取得した特性情報（図５）とに基づいて更新された合成透過率をさらに示す。また、図６のテーブルは、更新された合成透過率と、目標透過率との乖離率をさらに示す。具体的には、乖離率は、式「（｜更新された合成透過率−目標透過率｜÷更新された合成透過率）×１００」によって算出される。補正部１０５は、上述の２つの式を用いて、各階調値について、更新された合成透過率と、乖離率とを取得することができる。図７は、背面制御値と前面制御値の複数の組み合わせにそれぞれ対応する複数の合成透過率の一例を示す模式図である。図７の合成透過率は、図５の特性情報に基づいて得られた合成透過率である。
【００４１】
例えば、図６の制御情報では、階調値０に背面制御値０と前面制御値０が対応付けられている。そして、図７では、背面制御値０と前面制御値０の組み合わせに合成透過率０．０００４％が対応付けられている。そのため、補正部１０５は、階調値０について、合成透過率０．０００４％を得る。具体的には、図５の特性情報では、背面制御値０に背面パネル１２の透過率０．２％が対応付けられており、前面制御値０に前面パネル１３の透過率０．２％が対応付けられている。そのため、補正部１０５は、階調値０について、「背面パネル１２の透過率０．２％×前面パネル１３の透過率０．２％÷１００」の演算により、合成透過率０．０００４％を得る。そして、図６の制御情報では、階調値０に目標透過率０．０００１％が対応付けられている。そのため、補正部１０５は、階調値０について、乖離率７５％（＝（｜合成透過率０．０００４％−目標透過率０．０００１％｜÷合成透過率０．０００４％）×１００）を得る。
【００４２】
同様に、図６の制御情報では、階調値１に背面制御値１と前面制御値１が対応付けられている。そして、図７では、背面制御値１と前面制御値１の組み合わせに合成透過率１．９５％が対応付けられている。そのため、補正部１０５は、階調値１について、合成透過率１．９５％を得る。具体的には、図５の特性情報では、背面制御値１に背面パネル１２の透過率６．５％が対応付けられており、前面制御値１に前面パネル１３の透過率３０％が対応付けられている。そのため、補正部１０５は、階調値１について、「第１透過率６．５％×第２透過率３０％÷１００」の演算により、合成透過率１．９５％を得る。そして、図６の制御情報では、階調値１に目標透過率０．２５％が対応付けられている。そのため、補正部１０５は、階調値１について、乖離率８７％（＝（｜合成透過率１．９５％−目標透過率０．２５％｜÷合成透過率１．９５％）×１００）を得る。他の階調値についても同様に、補正部１０５は、合成透過率と乖離率を算出する。
【００４３】
なお、更新された合成透過率と目標透過率との差に対応する値として、乖離率とは異なる値が判断されてもよい。例えば、更新された合成透過率と目標透過率との一方から他方を減算した値、更新された合成透過率と目標透過率との一方から他方を除算した値、等が使用されてもよい。更新された合成透過率と目標透過率との差の大小が把握できる値であれば、どのような値が使用されてもよい。
【００４４】
上述したように、補正部１０５は、目標透過率により近い合成透過率が実現されるように、制御情報の背面制御値と前面制御値の少なくとも一方を補正する。図８は、補正後の情報（テーブル）の一例を示す模式図である。
【００４５】
補正部１０５は、ここで述べる処理を各階調値について行う。処理対象の階調値が、上述した「対象階調値」である。まず、補正部１０５は、背面制御値と前面制御値の組み合わせの合成透過率と、対象階調値の目標透過率との間の乖離率を、背面制御値と前面制御値の全ての組み合わせについて算出する。そして、補正部１０５は、乖離率が最小となる背面制御値と前面制御値との組み合わせを、補正後の制御情報において対象階調値に対応する背面制御値と前面制御値との組み合わせとして決定する。
【００４６】
そして、補正部１０５は、補正した制御情報を、記憶部１０４に書き込む。なお、補正部１０５は、特性情報を取得したことに応じて、背面制御値と前面制御値との全ての組み合わせにおける合成透過率を予め算出して、記憶部１０４に記憶していてもよい。この場合、補正処理の実行指示を受けて、補正部１０５は、記憶部１０４から読み出した合成透過率の情報（図７）を用いて、記憶部１０４から読み出した制御情報を補正する。
【００４７】
上述のように補正された制御情報に基づいて生成された制御データで各パネルの透過率を制御することで、合成透過率が目標透過率に近づけられ、表示輝度が目標輝度に近づけられる。
【００４８】
例えば、図８の制御情報では、階調値１について、前面制御値と背面制御値の組み合わせが、１と１（図４，６）から０と４へ変更されている。その結果、乖離率が、８７％（図６）から２５％へ改善されている。また、前面制御値０と背面制御値４の組み合わせは、補正前の制御情報（図４，６）において他の階調値に対応していない。対象階調値について、制御情報の背面制御値と前面制御値の組み合わせを、補正前の制御情報において他の階調値に対応していない組み合わせに補正すれば、補正による表示画像（画面に表示された画像）の階調数の低下を抑制できる。同様に、図８の制御情報では、階調値３について、背面制御値と前面制御値の組み合わせが、１と２（図４，６）から１と１へ変更されている。その結果、乖離率が、３３％（図６）から１５％へ改善されている。
【００４９】
以上述べたように、本実施例によれば、背面制御値と背面パネルの透過率との対応関係、及び、前面制御値と前面パネルの透過率との対応関係に関する特性情報が取得される。それにより、取得した特性情報から合成透過率を容易に判断（算出）できる。そして、取得した特性情報に基づいて制御情報が補正される。その結果、容易且つ高精度に合成透過率を目標透過率に近づけることができる。
【００５０】
なお、全ての階調値について最適な組み合わせ（背面制御値と前面制御値の組み合わせ）への補正を行う例を説明したが、これに限られない。例えば、補正部１０５は、乖離率が閾値以上である階調値についてのみ組み合わせの補正を行ってもよい。それにより、補正部１０５の処理負荷を低減できる。
【００５１】
なお、背面パネル１２と前面パネル１３の少なくとも一方は、複数の色にそれぞれ対応する複数の表示素子（カラー液晶素子）を有するカラーパネルであってもよいし、複数のカラー液晶素子を有さないモノクロパネルであってもよい。カラー液晶素子は、対応する色のカラーフィルタを有する液晶素子であり、対応する色の光を透過して表示する。
【００５２】
背面パネル１２と前面パネル１３の一方がカラーパネルであり、且つ、背面パネル１２と前面パネル１３の他方がモノクロパネルである場合を考える。この場合には、補正部１０５は、制御情報における背面制御値と前面制御値のうち、モノクロパネルの制御値を、カラーパネルの制御値よりも優先的に補正してもよい。例えば、補正部１０５は、カラーパネルの透過率の低下が抑制されてモノクロパネルの透過率が優先的に低下されるように補正を行ってもよい。具体的には、補正部１０５は、カラーパネルの透過率が閾値以下に
低減されないように補正を行ってもよい。それにより、目標色（表示色（画面の色）の目標）に近い表示色を高精度に実現できる。
【００５３】
背面パネル１２と前面パネル１３の両方がカラーパネルである場合には、補正部１０５は、複数の色のそれぞれについて、制御情報における組み合わせ（背面制御値と前面制御値の組み合わせ）の補正を行ってもよい。それにより、目標色に近い表示色をより高精度に実現できる。すなわち、目標色により近い表示色を実現できる。
【００５４】
なお、バックライト制御部１０６は、取得された特性情報と補正された制御情報とに基づいてバックライトユニット１１の発光輝度を制御してもよい。例えば、バックライト制御部１０６は、制御情報および特性情報に応じた表示輝度と目標輝度との差に比べ目標輝度との差が小さい表示輝度が実現されるように、バックライトユニット１１の発光輝度を制御してもよい。表示輝度は、バックライトユニット１１の発光輝度に合成透過率を乗算することにより算出できる。表示輝度の算出に、バックライトユニット１１の発光輝度と合成透過率以外のパラメータがさらに考慮されてもよい。例えば、モニタ１０の温度や構造による表示輝度の変化がさらに考慮されてもよい。
【００５５】
生成部１０３は、背面制御データに応じた背面電圧を背面パネル１２に供給することにより、背面パネル１２の透過率を制御する。同様に、生成部１０３は、前面制御データに応じた前面電圧を前面パネル１３に供給することにより、前面パネル１３の透過率を制御する。ここで、背面電圧や前面電圧は調整可能である。そのため、生成部１０３は、取得された特性情報とに基づいて、背面電圧と前面電圧を調整してもよい。例えば、生成部１０３は、制御情報および特性情報に応じた合成透過率と目標透過率との差に比べ目標透過率との差が小さい合成透過率が実現されるように、背面電圧と前面電圧の少なくとも一方を調整してもよい。これにより、合成透過率を目標透過率により近づけることができる。
【００５６】
ここで、背面電圧は背面制御値に比例し、前面電圧は前面制御値に比例し、背面パネル１２の透過率は背面電圧に比例し、前面パネル１３の透過率は前面電圧に比例するとする。そして、制御値（背面制御値や前面制御値）、背面電圧、及び、前面電圧の対応関係に関する初期の電圧情報が図９の電圧情報であったとする。例えば、補正部１０５は、図３の特性情報と図５の特性情報とから、背面制御値０に対応する背面パネル１２の透過率が０．１％から０．２％へ増加したことを判断する。そして、補正部１０５は、背面制御値０に対応する背面電圧を１／２（＝０．１％÷０．２％）倍すればよいと判断する。また、補正部１０５は、背面制御値１に対応する背面パネル１２の透過率が６．３％から６．５％へ増加したため、背面制御値１に対応する背面電圧を１／１．０３（＝６．３％÷６．５％）倍すればよいと判断する。同様に、補正部１０５は、前面制御値０に対応する前面パネル１３の透過率が０．１％から０．２％へ増加したため、前面制御値０に対応する前面電圧を１／２倍すればよいと判断する。また、補正部１０５は、前面制御値１に対応する前面パネル１３の透過率が２５％から３０％へ増加したため、前面制御値１に対応する前面電圧を１／１．２倍すればよいと判断する。そして、補正部１０５は、前面制御値２に対応する前面パネル１３の透過率が５０％から５２％へ増加したため、前面制御値２に対応する前面電圧を１／１．０４倍すればよいと判断する。
【００５７】
そして、補正部１０５は、上記判断結果に基づき、電圧情報を図９の電圧情報から図１０の電圧情報に補正する。そして、補正部１０５は、図１０の電圧情報をさらに考慮して、制御情報の補正を行う。図１０の電圧情報では、背面制御値０に対応する背面電圧が０．１（図９）から０．０５（＝０．１÷２）へ低減されており、背面制御値１に対応する背面電圧が６．３（図９）から６．１１（＝６．３÷１．０３）へ低減されている。同様に、前面制御値０に対応する前面電圧が０．１（図９）から０．０５へ低減されており、前面制御値１に対応する前面電圧が２５（図９）から２０．８へ低減されている。そして
、前面制御値２に対応する前面電圧が５０から４８．１へ低減されている。制御部１１０は、補正後の制御情報と補正後の電圧情報とに従って各パネルの透過率を制御する。なお、制御情報の補正の後に、合成透過率が目標透過率により近づくように電圧情報が補正されてもよい。
【００５８】
＜実施例２＞
以下、本発明の実施例２について説明する。実施例１に示した制御情報の補正のためには、補正処理の実行タイミングの近傍における特性情報を取得する必要がある。具体的には、背面制御値と前面制御値の組み合わせごとに、合成透過率を取得する必要がある。しかし、背面制御値と前面制御値の組み合わせの総数は、取り得る背面制御値の数に取り得る前面制御値の数を乗算した数となり、非常に多い。例えば、取り得る背面制御値の数と、取り得る前面制御値の数とのそれぞれが２５６個である場合には、上記組み合わせの総数は、６５５３６（＝２５６×２５６）個となる。このような膨大な数の組み合わせに対して、センサ２００を用いて表示輝度を測定し、合成透過率を取得することは、計測時間や、精度の観点で困難である。
【００５９】
実施例２の制御装置１００は、制御情報を補正するための特性情報の更新を容易に実行可能なキャリブレーション処理を行う点で、実施例１の制御装置１００と異なる。なお、以下では、実施例１と異なる点（構成や処理）について詳しく説明し、実施例１と同じ点についての説明は省略する。
【００６０】
実施例２において、制御装置１００は、背面パネル１２および前面パネル１３のうち一方のパネルの透過率を固定した状態で、他方のパネルの制御値を制御した場合の表示輝度の変化から、測定対象パネルの、制御値に対する透過率の変化率を取得する。透過率（制御値）が固定されないパネルを「測定対象パネル」と記載し、透過率が固定されるパネルを「非測定対象パネル」と記載する。制御装置１００は、背面パネル１２および前面パネル１３をそれぞれを測定対象パネルとして、背面パネル１２に対応する変化率と、前面パネル１３に対応する変化率とを取得する。透過率の絶対値は、表示輝度の測定に用いた背面制御値と前面制御値の組み合わせ、当該組み合わせにおける表示輝度の測定値、および、バックライトユニット１１の発光輝度に基づいて取得することが可能となる。上述のキャリブレーション処理によって、制御装置１００は、特性情報、および、背面制御値と前面制御値との全ての組み合わせにおける合成透過率や表示輝度を示す情報を容易に取得することが可能となる。
【００６１】
キャリブレーション処理において、制御部１１０は、非測定対象パネルの少なくとも検出領域に所定の制御値の画像が表示されるように、生成部１０３を制御する。具体的には、制御部１１０は、少なくとも検出領域の透過率を所定の制御値で制御するための固定制御データを非測定対象パネルに出力するように、生成部１０３を制御する。例えば、固定制御データは、検出領域の制御値が４の制御データであるとする。
【００６２】
また、制御部１１０は、測定対象パネルの少なくとも検出領域の制御値が段階的に変化するように、生成部１０３を制御する。具体的には、制御部１１０は、少なくとも検出領域の透過率を複数の制御値で制御するための複数の検出制御データを順に出力するように、生成部１０３を制御する。複数の検出制御データは、少なくとも検出領域の制御値が互いに異なる複数の制御データとも言える。
【００６３】
補正部１０５は、センサ２００によって取得された測定値に基づいて、特性情報を取得（生成）する。補正部１０５は、センサ２００から、検出領域の表示輝度の測定値を取得する。補正部１０５は、測定対象パネルの透過率を段階的に変化させた制御値と、非測定対象パネルの所定の制御値との組合せに、取得した表示輝度の測定値を関連付けた輝度情
報を取得する。輝度情報は、非測定対象パネルを所定の制御値で制御し、かつ、測定対象パネルを各制御値で制御した場合の表示輝度を示す情報とも言える。補正部１０５は、背面パネル１２を測定対象パネルとして得られた背面輝度情報と、前面パネル１３を測定対象パネルとして得られた前面輝度情報と、の２つの輝度情報を取得する。補正部１０５は、２つの輝度情報に基づいて特性情報などを取得する。例えば、補正部１０５は、２つの輝度情報に含まれる表示輝度を規格化することにより、測定対象パネルの制御値に対する透過率の変化率を取得して、特性情報などを取得する。
【００６４】
合成透過率の情報を得る場合には、補正部１０５は、バックライトユニット１１の発光輝度を示す情報を取得する。例えば、バックライトユニット１１の発光輝度が１００００ｃｄ／ｍ２であり、背面制御値と前面制御値の或る組み合わせに対して得られた表示輝度の測定値が１００ｃｄ／ｍ２であるとすると、当該組み合わせに対応する合成透過率は１％であるとわかる。輝度情報の取得に使用されていない組み合わせ（制御値の組み合わせ）に対応する合成透過率は、測定結果に基づいて取得した合成透過率と、輝度情報から得られた各パネルの変化率（制御値に対する透過率の変化率）とに基づいて算出することが可能となる。補正部１０５は、制御値の組み合わせに対応する合成透過率を示す情報を記憶部１０４に記録する。
【００６５】
以下で、キャリブレーション処理について、詳細に説明する。補正部１０５は、センサ２００によって取得された測定値に基づいて、特性情報を取得（生成）する。本実施例では、記憶部１０４は、背面輝度情報と前面輝度情報をさらに記憶する。そして、補正部１０５は、表示輝度の測定値、過去の特性情報、過去の背面輝度情報、及び、過去の前面輝度情報に基づいて、最新（現在）の特性情報を生成する。背面輝度情報は、前面制御値が固定である場合の背面制御値と表示輝度（センサ２００の測定値）との対応関係に関する情報である。前面輝度情報は、前面制御値が固定である場合の背面制御値と表示輝度（センサ２００の測定値）との対応関係に関する情報である。本実施例では、過去の情報（特性情報、第１輝度情報、及び、第２輝度情報）は、工場出荷時などに生成された情報である。なお、過去の情報の生成タイミングは特に限定されない。例えば、補正部１０５によって前回得られた情報が、過去の情報として使用されてもよい。
【００６６】
図１１は、記憶部１０４に記録される初期の特性情報、初期の背面輝度情報、及び、初期の前面輝度情報の一例を示す模式図である。初期の特性情報は、実施例１（図３）と同じである。初期の背面輝度情報は、背面制御値、前面制御値、及び、表示輝度の対応関係を示す。図１１の背面輝度情報では、前面制御値が４で固定されている。初期の前面輝度情報は、背面制御値、前面制御値、及び、表示輝度の対応関係を示す。図１１の前面輝度情報では、背面制御値が２で固定されている。
【００６７】
最新の特性情報を生成するキャリブレーション処理の処理フローについて、図１２，１３を用いて説明する。図１２は、キャリブレーション処理の処理フローの一例を示すフローチャートである。図１２の処理フローは、例えば、ユーザからの指示に応じて開始される。図１２の処理フローは、定期的に行われてもよい。
【００６８】
Ｓ１１０１にて、生成部１０３は、固定の前面制御値で前面パネル１３の透過率を制御しながら、複数の背面制御値で背面パネル１２の透過率を複数の透過率にそれぞれ制御する。また、複数の背面制御値にそれぞれ対応する複数の表示輝度が測定されるように、制御部１１０は、センサ２００へ測定指示を出力する。本実施例では、生成部１０３は、前面制御値４で前面パネル１３の透過率を制御しながら、５つの背面制御値０〜４のそれぞれで背面パネル１２の透過率を制御する。そして、センサ２００は、５つの背面制御値０〜４にそれぞれ対応する５つの表示輝度を測定する。その後、補正部１０５は、上記５つの表示輝度（測定値）から、最新の背面輝度情報として、図１３の背面輝度情報を生成す
る。なお、固定の前面制御値は４に限られない。
【００６９】
Ｓ１１０２にて、生成部１０３は、固定の背面制御値で背面パネル１２の透過率を制御しながら、複数の前面制御値で前面パネル１３の透過率を複数の透過率にそれぞれ制御する。また、複数の前面制御値にそれぞれ対応する複数の表示輝度が測定されるように、制御部１１０は、センサ２００へ測定指示を出力する。本実施例では、生成部１０３は、背面制御値２で背面パネル１２の透過率を制御しながら、５つの前面制御値０〜４のそれぞれで前面パネル１３の透過率を制御する。そして、センサ２００は、５つの前面制御値０〜４にそれぞれ対応する５つの表示輝度を測定する。その後、補正部１０５は、上記５つの表示輝度（測定値）から、最新の前面輝度情報として、図１３の前面輝度情報を生成する。なお、固定の背面制御値は２に限られない。
【００７０】
Ｓ１１０３にて、補正部１０５は、Ｓ１１０１で得られた最新の背面輝度情報と、Ｓ１１０２で得られた最新の前面輝度情報とに基づいて、最新の特性情報を生成する。
【００７１】
具体的には、補正部１０５は、初期の特性情報、初期の背面輝度情報、及び、初期の前面輝度情報を記憶部１０４から読み出す。そして、補正部１０５は、初期の背面輝度情報と最新の背面輝度情報とを比較することにより、背面制御値０に対応する表示輝度が０．１ｃｄ／ｍ２（図１１）から０．２ｃｄ／ｍ２に変化したと判断する。この表示輝度の変化は、背面パネル１２の透過率の変化に対応する。そのため、補正部１０５は、背面制御値０に対応する背面パネル１２の透過率が０．１％（図１１）から０．２％に変化したと判断する。同様に、補正部１０５は、背面制御値１に対応する表示輝度が６．３ｃｄ／ｍ２（図１１）から６．５ｃｄ／ｍ２に変化したと判断し、背面制御値１に対応する背面パネル１２の透過率が６．３％（図１１）から６．５％に変化したと判断する。補正部１０５は、背面制御値２〜４に対応する表示輝度が初期の背面輝度情報の表示輝度（図１１）から変化していないと判断する。そして、補正部１０５は、背面制御値２〜４に対応する背面パネル１２の透過率が初期の特性情報の透過率（図１１）から変化していないと判断する。
【００７２】
また、補正部１０５は、初期の前面輝度情報と最新の前面輝度情報とを比較することにより、前面制御値０に対応する表示輝度が０．０２５ｃｄ／ｍ２（図１１）から０．０５ｃｄ／ｍ２に変化したと判断する。この表示輝度の変化は、前面パネル１３の透過率の変化に対応する。そのため、補正部１０５は、前面制御値０に対応する前面パネル１３の透過率が０．１％（図１１）から０．２％（＝０．１％×０．０５ｃｄ／ｍ２÷０．０２５ｃｄ／ｍ２）に変化したと判断する。同様に、補正部１０５は、前面制御値１に対応する表示輝度が６．２５ｃｄ／ｍ２（図１１）から７．５ｃｄ／ｍ２に変化したと判断する。そして、補正部１０５は、前面制御値１に対応する前面パネル１３の透過率が２５％（図１１）から３０％（＝２５％×７．５ｃｄ／ｍ２÷６．２５ｃｄ／ｍ２）に変化したと判断する。補正部１０５は、前面制御値２に対応する表示輝度が１２．５ｃｄ／ｍ２（図１１）から１３ｃｄ／ｍ２に変化したと判断する。そして、補正部１０５は、前面制御値２に対応する前面パネル１３の透過率が５０％（図１１）から５２％（＝５０％×１３ｃｄ／ｍ２÷１２．５ｃｄ／ｍ２）に変化したと判断する。補正部１０５は、前面制御値３，４に対応する表示輝度が初期の前面輝度情報の表示輝度（図１１）から変化していないと判断する。そして、補正部１０５は、前面制御値３，４に対応する前面パネル１３の透過率が初期の特性情報の第２透過率（図１１）から変化していないと判断する。
【００７３】
そして、補正部１０５は、以上の判断の結果から、最新の特性情報として、図１３の特性情報を生成する。
【００７４】
補正部１０５は、特性情報に基づいて、背面パネル１２に出力される検出制御データ（
背面制御値）と前面パネル１３に出力される検出制御データ（前面制御値）との複数の組み合わせにそれぞれ対応する複数の合成透過率や複数の表示輝度を推定できる。図１４（Ａ）は、推定された複数の合成透過率の一例を示す模式図であり、図１４（Ｂ）は、推定された複数の表示輝度の一例を示す模式図である。図１４（Ａ），１４（Ｂ）は、図１３の特性情報から推定された値を示す。
【００７５】
例えば、背面制御値０と前面制御値０の組み合わせについて、図１３の特性情報から合成透過率０．０００４％（＝背面パネル１２の透過率０．２％×前面パネル１３の透過率０．２％÷１００）を推定できる。背面制御値０と前面制御値１の組み合わせについて、図１３の特性情報から合成透過率０．０６％（＝背面パネル１２の透過率０．２％×前面パネル１３の透過率３０％÷１００）を推定できる。同様に、他の組み合わせの合成透過率も推定できる。
【００７６】
また、背面制御値４と前面制御値４の組み合わせについて、図１３の背面輝度情報から表示輝度１００ｃｄ／ｍ２を判断できる。そして、背面制御値４と前面制御値４の組み合わせについて、図１３の特性情報から合成透過率１００％を判断できる。表示輝度は合成透過率に比例するため、判断した表示輝度１００ｃｄ／ｍ２と合成透過率１００％とから、合成透過率に係数Ｃ＝１００ｃｄ／ｍ２÷１００％＝１を乗算することにより表示輝度が得られると判断できる。その結果、図１４（Ａ）の各合成透過率に係数Ｃを乗算することにより、上記複数の組み合わせにそれぞれ対応する複数の表示輝度（図１４（Ｂ））を推定できる。なお、係数Ｃを得るための組み合わせは上記組み合わせ（背面制御値４と前面制御値４の組み合わせ）に限られない。
【００７７】
このように、本実施例では、Ｓ１１０１の５回の測定と、Ｓ１１０２の５回の測定との計１０回の測定で、最新の特性情報を生成でき、背面制御値と前面制御値の各組み合わせの合成透過率や表示輝度を推定できる。従来は、背面制御値と前面制御値の２５通りの組み合わせにそれぞれ対応する２５回の測定が必要であったが、本実施例では、１０回という従来の測定回数よりも非常に少ない測定回数で必要な情報を得ることができる。
【００７８】
以上述べたように、本実施例によれば、背面輝度情報と前面輝度情報に基づいて、特性情報を容易且つ高精度に生成できる。具体的には、少ない測定回数（短い測定時間）で特性情報を高精度に生成できる。その結果、容易且つ高精度に合成透過率を目標透過率に近づけることができる。
【００７９】
なお、背面制御値と前面制御値の全ての組み合わせについて合成透過率や表示輝度を推定する例を説明したが、これに限られない。例えば、階調値と表示輝度の対応関係が所定のガンマ値の対応関係と同等になるように定められた組み合わせ（制御情報に関連付けられた組み合わせ）についてのみ合成透過率や表示輝度が推定されてもよい。図１５は、階調値、背面制御値、前面制御値、初期の表示輝度（目標輝度）、及び、最新の表示輝度の対応関係の一例を示す模式図である。図１５では、階調値と初期の表示輝度の対応関係がガンマ値２の対応関係と同等になるように初期の組み合わせ（背面制御値と前面制御値の組み合わせ）が定められている。最新の表示輝度は、図１４（Ａ），１４（Ｂ）を用いて説明した方法と同様の方法で推定できる。初期の表示輝度（目標輝度）と最新の表示輝度とを比較することで、初期の表示輝度から最新の表示輝度への変化の有無なども判断できる。
【００８０】
なお、背面パネル１２に出力される複数の検出制御データにおいて全ての背面制御値が使用され、且つ、前面パネル１３に出力される検出制御データにおいて全ての前面制御値が使用される例を説明したが、これに限られない。例えば、背面パネル１２に出力される複数の検出制御データにおいて一部の背面制御値が使用されてもよい。そして、補正部１
０５は、背面パネル１２に出力される各検出制御データに対応する表示輝度（測定値）に基づいて、背面パネル１２に出力される各検出制御データに対応しない表示輝度を推定してもよい。同様に、前面パネル１３に出力される複数の検出制御データにおいて一部の第２制御階調値が使用されてもよい。そして、補正部１０５は、前面パネル１３に出力される各検出制御データに対応する表示輝度（測定値）に基づいて、前面パネル１３に出力される各検出制御データに対応しない表示輝度を推定してもよい。そして、これら２種類の推定の少なくとも一方を行って、背面輝度情報と前面輝度情報が取得されてもよい。検出制御データの数を減らすことにより、処理負荷や測定回数を低減できる。検出制御データに対応しない表示輝度の推定方法と同様の方法で、検出制御データに対応しない測定対象パネルの透過率も推定できる。
【００８１】
図１６は、前面制御値、測定表示輝度、及び、推定表示輝度の対応関係の一例を示す模式図である。図１６の測定表示輝度は、前面パネル１３に出力される複数の検出制御データのいずれかに対応する表示輝度であり、図１６の推定表示輝度は、前面パネル１３に出力される複数の検出制御データのいずれにも対応しない表示輝度である。図１６は、前面制御値０，２，４に対応する表示輝度が測定され、且つ、前面制御値１，３に対応する表示輝度が測定されなかった場合の対応関係を示す。推定表示輝度は、複数の測定表示輝度を用いた補間処理により得られる。補間処理は特に限定されないが、図１６では、線形補間処理により推定透過率が得られている。具体的には、前面制御値１については、前面制御値０の測定表示輝度０．２ｃｄ／ｍ２と前面制御値２の測定表示輝度５２ｃｄ／ｍ２とを用いた線形補間処理により、推定表示輝度２６．１ｃｄ／ｍ２（＝０．２ｃｄ／ｍ２＋（５２ｃｄ／ｍ２−０．２ｃｄ／ｍ２）÷（２−０））が得られている。前面制御値３については、前面制御値２の測定表示輝度５２ｃｄ／ｍ２と前面制御値４の測定表示輝度１００ｃｄ／ｍ２とを用いた線形補間処理により、推定表示輝度７６ｃｄ／ｍ２（＝５２ｃｄ／ｍ２＋（１００ｃｄ／ｍ２−５２ｃｄ／ｍ２）÷（４−２））が得られている。
【００８２】
なお、前面制御値の変化による表示輝度の変化が判断できる場合には、前面パネル１３に出力される固定制御データの代わりに、前面制御値が互いに異なる複数の前面制御データが使用されてもよい。同様に、背面制御値の変化による表示輝度の変化が判断できる場合には、背面パネル１２に出力される固定制御データの代わりに、背面制御値が互いに異なる複数の背面制御データが使用されてもよい。
【００８３】
なお、Ｓ／Ｎ比が高い高精度な測定値を得るためには、センサ２００の受光感度が閾値以上である表示輝度を実現することが好ましい。そのため、生成部１０３は、センサ２００の受光感度が閾値以上である表示輝度が実現されるように、固定制御データ（固定の背面制御値と固定の前面制御値）を決定してしてもよい。センサ２００が０．１ｃｄ／ｍ２以上かつ１００ｃｄ／ｍ２以下の光を閾値以上の受光感度で測定できる場合を考える。固定の背面制御値２を使用すると、０．０５ｃｄ／ｍ２以上且つ２５ｃｄ／ｍ２以下の表示輝度が実現される（図１３の前面輝度情報）。ここで、センサ２００は、０．０５ｃｄ／ｍ２以上且つ０．１ｃｄ／ｍ２未満の表示輝度を、閾値以上の受光感度で検出できない。そこで、生成部１０３は、固定の背面制御値として４を設定する。それにより、センサ２００の受光感度が閾値以上である０．２ｃｄ／ｍ２以上且つ１００ｃｄ／ｍ２以下の表示輝度が実現される。同様に、バックライト制御部１０６は、センサ２００の受光感度が閾値以上である表示輝度がで実現されるように、バックライトユニット１１の発光輝度を制御してもよい。センサ２００の受光感度に基づいて固定の背面制御値、固定の前面制御値、バックライトユニット１１の発光輝度、等を決定することにより、より高精度な測定値を得ることができ、より高精度な特性情報を生成することができる。受光感度に関する情報は、予め用意されていてもよいし、外部から取得されてもよい。
【００８４】
なお、表示輝度の測定、特性情報の生成、等は、背面パネル１２や前面パネル１３の各
表示素子について個別に行われてもよいし、そうでなくてもよい。例えば、センサ２００は、画面の一部または全部に設けられた複数の表示素子からの光の合成光の輝度を測定してもよい。各表示素子が複数の色にそれぞれ対応する複数のサブ表示素子（カラー液晶素子）を有する場合には、表示輝度の測定、特性情報の生成、等は、各サブ表示素子について個別に行われてもよいし、そうでなくてもよい。
【００８５】
なお、センサ２００は、表示色（画面の色；画面から発せられた光の色；表示画像の色）をさらに測定してもよい。例えば、センサ２００は、複数の色にそれぞれ対応する複数のサブセンサを有していてもよい。サブセンサは、対応する色のカラーフィルタを有し、対応する色の光を検出する。
【００８６】
実施例１，２の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００８７】
実施例１，２はあくまで一例であり、本発明の要旨の範囲内で実施例１，２の構成を適宜変形したり変更したりすることにより得られる構成も、本発明に含まれる。実施例１，２の構成を適宜組み合わせて得られる構成も、本発明に含まれる。
【００８８】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００８９】
１００：制御装置  １０３：生成部  １０４：記憶部  １０５：補正部
【図１】
2019086639.tif 000003
【図２】
2019086639.tif 000004
【図３】
2019086639.tif 000005
【図４】
2019086639.tif 000006
【図５】
2019086639.tif 000007
【図６】
2019086639.tif 000008
【図７】
2019086639.tif 000009
【図８】
2019086639.tif 000010
【図９】
2019086639.tif 000011
【図１０】
2019086639.tif 000012
【図１１】
2019086639.tif 000013
【図１２】
2019086639.tif 000014
【図１３】
2019086639.tif 000015
【図１４】
2019086639.tif 000016
【図１５】
2019086639.tif 000017
【図１６】
2019086639.tif 000018